(57)【要約】この装置は、透明材料からなる光ロッド（１）を介して、マスタモジュールとスレーブモジュールとの間で双方向光通信を可能にする。マスタモジュールは、ロッドに軸方向に結合される。モジュールは、スレーブモジュールの反対側に配置される側面反射装置が画定するロッドの有効部分に沿って、横方向に配置される。側面反射装置は、ロッドの表面に形成されて鋸歯状の連続反射ゾーンを構成する複数の連続ノッチ（１２）および／または狭い反射帯（１７）から構成可能である。ロッドの有効部分に沿ったスレーブモジュールの配置は任意であってよく、それらの側面位置の決定は、重要ではない。何故なら、側面結合ゾーンがロッドの外部の少なくとも１ｃｍのところに延びているからである。有利には、このような装置を電気パネルで使用できる。
2004533645.tif 000002
【特許請求の範囲】
【請求項１】
第一および第二の端を備えた光導電性のロッド（１）と、側面反射手段（９）とを含み、前記ロッドに沿って横に配置される側面電子モジュール（３）に側面結合により光結合されるように構成され、前記側面反射手段（９）は、前記側面モジュール（３）と反対側にあるロッド（１）の外面の長手方向の部分に配置される電子モジュール間の光通信装置であって、前記側面モジュール（３）が、前記ロッドの前記第一の端に軸方向に光結合されるマスタモジュール（２）と通信するためのスレーブモジュールであり、前記ロッド（１）が、ほぼ連続する反射エリアをなす側面反射手段（９）が装備された有効部分を含んでおり、前記ロッドの横断面の面積が１５ｍｍ２以上であり、前記側面反射手段が、前記ロッドの有効部分に沿って長手方向の側面連続結合エリア（８）を画定することにより、前記マスターモジュール（２）と、前記ロッドの有効部分に沿った任意の場所に配置される前記側面モジュール（３）とを双方向に光結合可能にし、前記側面結合エリア（８）が、前記ロッドの外側で少なくとも１ｃｍのところに延びていることを特徴とする電子モジュール間の光通信装置。
【請求項２】
前記側面反射手段（９）が、前記ロッド（１）の有効部分に沿って鋸歯状の反射エリアを構成する複数の隣接ノッチ（１２）から形成されることを特徴とする請求項１記載の電子モジュール間の光通信装置。
【請求項３】
各ノッチ（１２）が対称であることを特徴とする請求項２記載の電子モジュール間の光通信装置。
【請求項４】
各ノッチ（１２）が非対称であり、ロッド（１）の長手方向の軸（Ｓ）の垂直軸と第一の角度（β１）をなす第一の斜面（１４）と、ロッド（１）の第二の端の方に近く、ロッド（１）の長手方向の軸（Ｓ）の垂直軸と第一の角度（β１）より小さい第二の角度（β２）をなす第二の斜面（１５）とにより画定されることを特徴とする請求項２記載の電子モジュール間の光通信装置。
【請求項５】
隣接ノッチ（１２）が、ロッド（１）の第一の端と第二の端との間で徐々に減少する可変ピッチ（ｐ）を有することを特徴とする請求項４記載の電子モジュール間の光通信装置。
【請求項６】
側面反射装置（９）が、ノッチ（１２）の底に、ロッド（１）の第一の端と第二の端との間で徐々に減少する可変幅（ｌ２）を有する内側平面部（１６）を含むことを特徴とする請求項５記載の電子モジュール間の光通信装置。
【請求項７】
第一の角度（β１）が、ロッド（１）の第一の端と第二の端との間で徐々に減少することを特徴とする請求項５記載の電子モジュール間の光通信装置。
【請求項８】
２個の隣接ノッチ（１２）が、外側平面部によって分離されることを特徴とする、請求項２乃至７のいずれかに記載の電子モジュール間の光通信装置。
【請求項９】
側面反射手段（９）が、狭い反射帯（１７、１８、１９、２０）を含むことを特徴とする請求項１乃至８のいずれかに記載の電子モジュール間の光通信装置。
【請求項１０】
前記反射帯が、矩形の連続帯（１８）であることを特徴とする請求項９記載の電子モジュール間の光通信装置。
【請求項１１】
前記反射帯が、所定のピッチで長手方向に配置される、長さが可変の基本反射エリアを含む分割帯（２０）であり、前記基本反射エリアの長さが、ロッド（１）の第一の端付近で最も短く、所定の最大値まで増加してからロッド（１）の第二の端まで減少することを特徴とする請求項９記載の電子モジュール間の光通信装置。
【請求項１２】
反射帯が、ロッド（１）の第一の端付近で最も狭く、所定の最大値まで太くなってからロッドの第二の端まで減少する、可変幅の帯（１９）であることを特徴とする請求項９乃至１１のいずれかに記載の電子モジュール間の光通信装置。
【請求項１３】
最大値が、ロッド（１）の第一の端よりも第二の端の方に近いことを特徴とする、請求項１１または１２記載の電子モジュール間の光通信装置。
【請求項１４】
前記反射帯（１７、１８、１９、２０）が、ロッド（１）の外面に適合する光学的な屈折率の材料の堆積により得られることを特徴とする請求項９乃至１３のいずれかに記載の電子モジュール間の光通信装置。
【請求項１５】
ロッド（１）が、側面反射手段を備えない端区間（１０）を第一の端に含むことを特徴とする請求項１乃至１４のいずれかに記載の電子モジュール間の光通信装置。
【請求項１６】
ロッド（１）の横断面が円形であることを特徴とする、請求項１乃至１５のいずれかに記載の電子モジュール間の光通信装置。
【請求項１７】
ロッド（１）の横断面が卵形であることを特徴とする請求項１乃至１５のいずれかに記載の電子モジュール間の光通信装置。
【請求項１８】
ロッド（１）の横断面が矩形であり、側面反射手段（９）が、ロッドの第一の側面に配置され、側面モジュール（３）が、第一の側面と反対の側面に向かい合ってロッドに沿って配置されることを特徴とする請求項１乃至１５のいずれかに記載の電子モジュール間の光通信装置。
【請求項１９】
ロッド（１）の横断面が、ロッドの第一の端から第二の端まで連続して減少することを特徴とする請求項１乃至１８のいずれかに記載の電子モジュール間の光通信装置。
【請求項２０】
ロッド（１）の第二の端が、端の反射手段（１１）を含むことを特徴とする請求項１乃至１９のいずれかに記載の電子モジュール間の光通信装置。
【請求項２１】
ロッド（１）の第二の端が、ロッドの長手方向の軸（Ｓ）に対して傾斜（α）していることを特徴とする請求項１乃至２０のいずれかに記載の電子モジュール間の光通信装置。
【請求項２２】
ロッド（１）の第一の端が、マスタモジュール（２）の電気−光送信エレメント（４）および光−電気受信エレメント（５）の、はめ込み手段（２１）を含むことを特徴とする請求項１乃至２１のいずれかに記載の電子モジュール間の光通信装置。
【請求項２３】
側面モジュール（３）が、電気パネル（２２）に配置されるコントロール／コマンド用または保護用の電気機器であることを特徴とする請求項１乃至２２のいずれかに記載の電子モジュール間の光通信装置。
【請求項２４】
側面モジュール（３）が、ロッド（１）の有効部分に沿って並んで配置されることを特徴とする請求項２３記載の電子モジュール間の光通信装置。
【請求項２５】
マスタモジュール（２）が、電気パネル（２２）の偏った場所に配置され、ロッド（１）の第一の端との結合端を含む付加的な光ロッド（２３）により、ロッド（１）の第一の端に光接続されることを特徴とする請求項２４記載の電子モジュール間の光通信装置。
【請求項２６】
付加的な光ロッド（２３）が、ロッド（１）に対して垂直に配置され、結合端が、ロッド（１）の第一の端と接触する外面と、ロッドの第一の端と４５°の角度をなす端の反射面（２４）とを含むことを特徴とする請求項２５記載の電子モジュール間の光通信装置。
【請求項２７】
ロッド（１）が、その第一の端で肘形に曲がっていることを特徴とする請求項２４記載の電子モジュール間の光通信装置。
【発明の詳細な説明】
【技術分野】
【０００１】
本発明は、第一および第二の端を備えた光導電性のロッドを含み、ロッドに沿って横に配置される側面電子モジュールに側面結合により光結合されるように構成され、側面モジュールと反対側のロッド外面の長手方向の部分に配置される側面反射手段を含む、電子モジュール間の光通信装置に関する。
【背景技術】
【０００２】
電子モジュールの光相互接続を可能にする多数の装置が存在する。
【０００３】
たとえば、欧州特許出願公開第５８７０６６号明細書に記載された第一のタイプの装置では、並んで配置された複数のモジュラー電子機器によって光通信「バス」を形成している。各機器は、一方の側面に光−電気受信機を備え、反対側の側面に電気−光送信機を備える。このようにして、各機器は、隣接する機器と光通信可能である。このタイプの装置には重大な欠点がある。事実、機器の一つが故障すると、通信系統が遮断される。
【０００４】
また、プリント回路カードとの光結合手段を含むガラスプレートまたは透明なプラスチック材料から一般に構成されて、各カードが、少なくとも一つの電気−光送信機および光−電気受信機を含む、品質の良くない光バスが存在する。プリント回路カードに隣接するバスの面に配置された各種の結合手段が既に開示されており、特に、光吸収材料における窓（国際公開第８５０３１７９号明細書）、溝（英国特許公開第２２０８５６６号明細書）、および回折格子（米国特許第５０９１９８５号明細書）が開示されている。米国特許第４７４４６１７号明細書は、プリント回路カードと反対側にあるバスの面に形成された傾斜反射面を結合素子として含む、円形、正方形、または多角形の断面をもつ光バスを記載している。こうした様々な装置では、結合素子が点からなり、各プリント回路カードに結合される所定の場所に配置される。そのため、プリント回路カードの数ならびにそれらの場所が予め決められている。
【０００５】
欧州特許出願公開第２４９７４６号明細書では、散乱コアを含むマルチモード光ファイバにより、送信局と、送信局に側面で結合される受信局との光通信を可能にしている。光ファイバに沿ったどんな場所にも局を配置できる。この装置では、ファイバのすぐ近くに、ファイバと各局との間に配置される光学レンズを配置しなければならない。レンズと、関連する局との半径方向の位置決めが、比較的難しい。
【０００６】
国際公開第９８３９８６１号明細書では、電子部品間の双方向光伝送システムが、内面により画定されるチャンネルの内部で空中に散乱される光を用いており、この光は、Ｕ字形の金属またはプラスチック材料からなる囲いから光学的に反射される。電子部品の光−電気による送信および受信素子は、チャンネルに沿ってどんな場所にも配置可能であるが、チャンネル内部で進まなければならない。従って、電子部品とチャンネルとの距離が正確に決定される。
【発明の開示】
【発明が解決しようとする課題】
【０００７】
本発明は、従来装置の不都合を持たない光通信装置を得ることを目的とする。このような装置は、特に、個々のコネクタもモジュールの正確な配置も不要な、光結合を可能にするものでなければならない。
【課題を解決するための手段】
【０００８】
本発明によれば、この目的は、側面モジュールが、ロッドの第一の端に軸方向に光結合されるマスタモジュールと通信するためのスレーブモジュールであり、ロッドが、ほぼ連続する反射エリアをなす側面反射手段を備えた有効部分を含んでおり、ロッドの横断面の面積が１５ｍｍ２以上であり、側面反射手段が、ロッドの有効部分に沿って長手方向の側面連続結合エリアを画定することにより、マスタモジュールと、ロッドの有効部分に沿った任意の場所に配置される側面モジュールとを双方向に光結合可能にし、側面結合エリアが、ロッドの外側で少なくとも１ｃｍのところに延びることによって、達せられる。
【０００９】
本発明の第一の特徴によれば、側面反射手段が、ロッドの有効部分に沿って鋸歯状の反射エリアを構成する複数の隣接ノッチから構成される。
【００１０】
本発明の第二の特徴によれば、側面反射手段が、狭い反射帯を含む。
【００１１】
本発明の他の長所および特徴は、限定的ではない実施例として挙げられ、添付図面に示された、特定の実施形態に関する以下の説明から、いっそう明らかになるであろう。
【発明を実施するための最良の形態】
【００１２】
図１に示した光通信装置は、マスタ電子モジュール２とスレーブ電子モジュール３（３１、３２、．．．、３ｎ）との双方向通信光バスを構成する光ロッド１を含む。各電子モジュールは、図２に示されたマスタモジュール２と同様に、電子処理装置６、好適にはマイクロプロセッサに電気結合される電気−光送信機４（レーザダイオード、発光ダイオード、．．．）および光−電気受信機５（フォトダイオード、フォトトランジスタ）を含む。マイクロプロセッサは、たとえばバス７により、外部モジュール、スーパバイザ、センサ、またはアクチュエータに電気接続可能である。
【００１３】
光ロッド１は、ガラス、シリカ、または好適にはプラスチック材料等の光導電性の電気絶縁材料から構成され、プラスチック材料は、容易に成形できるという長所を有する。ポリカーボネート、ＰＭＭＡ（ポリメチルメタクリレート）、ＰＶＣ、プレキシガラスなどの各種の熱可塑性材料を使用可能である。
【００１４】
光ロッド１は、１５ｍｍ２以上、好適には２５ｍｍ２から１００ｍｍ２の、従来の光ファイバよりはるかに大きい断面を有する。好適な実施形態では、光ロッドは剛性で、長さが約５０ｃｍから１ｍである。
【００１５】
このようなロッドは、マスタモジュール２とスレーブモジュール３との間で短い距離の光通信を行う。マスタモジュール２は、ロッドの第一の端（図１、図３乃至図１２、図１７乃至図１９の左側）に軸方向に光結合される。側面モジュール３は、ロッドに沿って横に並んで配置され、図３、１９に示された側面結合エリア８で光ロッド１と光通信する。側面結合エリア８は、側面反射装置と反対側に配置される。側面結合エリアは、少なくとも１ｃｍ、一般には数センチメートルにわたって、たとえば光ロッド１の長手方向の軸Ｓに対して垂直にロッドの外側に延びる。側面反射装置９は、側面モジュール３と反対側のロッドの外面の長手方向の部分にほぼ連続して反射エリアを形成する。反射エリアの幅は、好適には、光ロッドの横断面の周囲長の２５％以下に制限されて（図１０乃至図１６、図２０）、損失を制限する。
【００１６】
好適な実施形態では、光ロッド１が、その第一の端に、側面反射装置９を備えない端区間１０を含む。側面モジュール３は、端区間１０に沿って配置可能であるが、側面反射装置９に面したロッド１の有効部分に沿ってのみ配置可能である。端の反射手段１１（図３、図４、図１０乃至図１２、図１８、図１９）は、好適には、第一の端と反対側の光ロッドの第二の端に配置される。
【００１７】
図４に示した好適な実施形態では、光ロッド１が、斜めに切られた形状を有し、その横断面が、第一の端から第二の端までほぼ連続して減少し、光ロッド内の損失を制限するとともに装置の有効性を最適化している。例として、光ロッドの横断面は、第一の端の１００ｍｍ２から第二の端の５０ｍｍ２まで変化しうる。さらに、好適には反射する第二の端１１は、側面反射装置９に向かって光波を送るように傾斜している。例として、ロッド１の長手方向の軸Ｓと第二の端との角度αを７０°から９０°とすることができる。好適な実施形態では、α＝８０°である。
【００１８】
図４から図１２に、側面反射装置９の様々な例を示した。側面反射装置が有する主な機能は、損失を最小にしながら、スレーブモジュール３から送られる光波のほぼ半径方向の伝播を、ほぼ軸方向の伝播に、また、マスタモジュール２から送られる光波のほぼ軸方向の伝播を、スレーブモジュール３により検出可能なほぼ半径方向の伝播に、部分的に変換することにある。この機能で用いられない面は、光ロッド１の内部の光波のガイドを促進しなければならない。
【００１９】
側面反射装置９の第一の例によれば、この反射装置は、ロッドの有効部分に沿ってピッチｐの鋸歯状にほぼ連続する反射エリアを構成する、深さｈの複数の隣接ノッチ１２からなる。各ノッチは、非対称にしてもよいし（図４、図６乃至図８）、対称にしてもよい（図５）。図６に示された好適な変形例によれば、２個の隣接ノッチ１２が、幅ｌ１の外側平面部１３により分離されている。
【００２０】
ノッチ１２が非対称である場合、各ノッチは、光ロッドの長手方向の軸Ｓの垂直軸と角度β１をなす第一の斜面１４と、光ロッドの第二の端にはるかに近く、長手方向の軸Ｓの垂直軸と角度β１より小さな角度β２をなす第二の斜面１５とにより画定される。
【００２１】
光ロッド１に沿った光波の抽出収量を改善し、これを均質化するために、光ロッドの第一の端と第二の端との間で徐々に減少するピッチｐを修正可能である。変形例（図７）によれば、斜面１４と斜面１５との間のノッチ１２の底に、第一の端と第二の端との間で徐々に減少する可変幅ｌ２の内側平面部１６を挿入する。図７では、内側平面部１６が、光ロッドの第二の端でゼロになっている。別の変形例（図８）では、ピッチｐの修正が、ロッドの第一の端と第二の端との間で徐々に減少する角度β１の修正により得られる。この二つの変形例を結合することもできる。
【００２２】
図８の例によれば、ピッチが可変である場合、角度β１は、９０°変化しうる。第一の端付近で光波の抽出がない場合、光ロッドの第二の端では４５°である。
【００２３】
例として、側面反射装置の寸法を次のようにすることができる。
【００２４】
ｐ＝２ｍｍ
ｈ＝１ｍｍ
ｌ１＝０．５ｍｍ
β１＝４５°
β２＝２７°
抽出収量を約１０％から１５％増加するために、ノッチからなる反射エリアに平行に付加的な側面反射装置１７を配置して、光ロッド１に光線を送り返すこともできる。光線は、側面反射装置９の側から外に出る。付加的な側面反射装置１７は、図４に示したように短い距離で（たとえば１ｍｍから２ｍｍ）、あるいは図９に示したように外側平面部１３と直接接触して、反射装置９のすぐ近くに配置される狭い反射帯から構成される。
【００２５】
付加的な側面反射装置１７は、あらゆる適切な手段により固定可能である。特定の実施形態によれば、付加的な側面反射装置が、光ロッド１の保持および保護を追加機能として有する白色のプラスチック反射部品の構成要素をなすことができる。この装置が、外側平面部１３と接触する場合（図９）、貼り合わせにより固定してもよいし、光ロッドに一体成形してもよい。
【００２６】
図１０乃至図１２に示した本発明の変形例によれば、図４乃至図９によるノッチを備えた装置よりも性能がかなり劣るものの、ロッドの有効部分に形成された狭い反射帯だけから側面反射装置９を構成することができる。この場合、付加的な側面反射装置１７の場合と同様に（図４、図９）、複数の実施形態を検討できる。図１０では、反射帯が、矩形の連続帯１８である。図１１に示された変形例によれば、反射帯が、ロッドの第一の端付近で最小であり、次いで最大まで増加してから減少する、可変幅の連続帯１９である。これにより、側面反射装置の有効面をその両端で最小化することができる。図１２に示した他の変形例によれば、反射帯が、基本反射エリアに分割されており、これによって不連続帯２０を構成する。この帯を構成する反射エリアの長さおよび／または面積は可変であり、ロッドの第一の端付近で最小であり、第二の端に向かって連続して増加する。反射帯１９、２０の特徴を結合することもできる。
【００２７】
反射帯（１８、１９、２０）は、たとえば一体成形、塗料の塗布、または貼り合わせといった、あらゆる適切な手段により、光ロッドに形成可能である。また、マイクロミラーから、またはマイクロミラーアセンブリとして挙動する反射フィルムから、反射帯を同様に構成できる。
【００２８】
光ロッド１の横断面を矩形とすることができ（図１３）、側面反射装置９をロッドの第一の側面に配置し、スレーブモジュール３を、ロッドに沿って、第一の端と反対側にある側面に向かい合って配置する。横断面は、好適には円形（図１４）または卵型（図１６、図２０）であり、この場合、側面反射装置は、ロッドの平坦な面に配置される。
【００２９】
光ロッド１は、好適には、優れた耐熱性を有する透明なプラスチック材料を電子モジュール２、３の電気−光送信機４の送信波長で射出成形することにより、ノッチ１２と同時に形成される。変形実施形態では、熱成形または押し出し成形により光ロッドを形成できる。ノッチ１２は、また、光ロッドを後で加工することによっても得られる。
【００３０】
使用される波長は、可視光線（たとえば緑）か、または、好適には、現在、送信機および受信機を高密度で集積できる赤外線から選択できる。いわゆる「ＩＲＤＡ型」の、データ伝送用に集積される光−電気による送信−受信部品が、この機能を果たすことができる。マスタモジュール２は、あらゆる既知のタイプのデータ交換プロトコルを管理する。好適な実施形態によれば、マスタモジュールは、定期的に、データ交換を初期化するフレームを送信する。各スレーブモジュール３は、フレームを受信すると、割り当てられたタイムスロットでポーリングを送信する。ポーリングは、最終スレーブモジュール３ｎによる送信後に終了する。スレーブモジュールの欠如または機能不全は、割り当てられたタイムスロットにおけるスレーブモジュールの休止により検出される。
【００３１】
図１７は、光ロッド１をマスタモジュール２に接続する特定の実施形態を示している。ロッド１は、その第一の端に、ダイオードはめ込み用の２個の溝２１を含む。ダイオードは、マスタモジュール２の電気−光送信機４（発光ダイオード）と、光−電気受信機５（フォトダイオード）とをそれぞれ構成する。
【００３２】
図１８に、電気パネル２２への本発明による装置の適用を示した。スレーブモジュール３１、３２、．．．、３ｎを構成する複数のコントロール／コマンド用または保護用のモジュラー電気機器、たとえば遮断器、スイッチおよび／またはリレーが、あらゆる適切な手段により電気パネルに固定される光ロッド１に沿って、並んで電気パネルに配置される。光ロッド１を介して通信可能なスレーブモジュール数を最大化するために、コントロール／コマンドモジュールからなるマスタモジュール２は、好適には電気パネルの偏った場所に配置される。図１８では、ロッド１が水平であり、マスタモジュール２が鉛直に上に偏っている。マスタモジュールとロッド１の第一の端との軸方向の光接続は、ロッドに対して垂直に（図１８では鉛直に）配置された付加的な光ロッド２３により確保される。付加的な光ロッドは、図１８ではその下部に、ロッド１の第一の端との結合端を含む。付加的な光ロッド２３の結合端は、ロッド１の第一の端と接触する外面と、ロッドの第一の端と４５°の角度をなす反射端面２４とを含む。
【００３３】
図１９に示した変形例によれば、ロッド１は、その第一の端で肘形に曲げられており、ロッドの有効部分に対して垂直な、マスタモジュール２の偏りを可能にする端部分を含む。
【００３４】
図２０に示した本発明による装置の特定の実施形態によれば、卵形の横断面をもつ光ロッド１が、スレーブモジュール３の支持体の役割を果たす、たとえばＤＩＮ型のレール２５の底に収容されている。スレーブモジュール３は、一般に、レールに並んで配置される。スレーブモジュールは、レールの内部に向いた下部に、送信エレメント４と受信エレメント５とを各々含む。かくして、スレーブモジュールは、ロッドからなる光バスを介してマスタモジュールと通信可能である。このような構成により、こうした光通信機能を持たない既存の電気パネルを補完することができ、ロッドを組み立てるために特別な適合をする必要はない。
【００３５】
例として、このタイプの装置では、幅３５ｍｍの１６個のスレーブモジュールが、有効な長さが５６ｃｍの光ロッド１を介して、約１００ミリワット（ｍＷ）および約１メガビットから１０メガビットのビットレートの信号により、マスタモジュールと通信可能である。
【００３６】
本発明による装置により、ロッド１の長手方向の軸Ｓに対して垂直に、ロッドの外側に少なくとも１ｃｍ延びる側面結合エリア８の内部に、送信機４および受信機５を配置すれば十分であるので、ロッド１の有効部分に沿ったスレーブモジュール３の配置を任意のものとすることができ、スレーブモジュールの側面の位置決定が容易になる。
【００３７】
光ロッド１を介して同一のマスタモジュール２と通信するスレーブモジュール３の数を二倍にすることを検討してもよい。そのためには、第二の側面反射装置を光ロッド１の側面反射装置９°から９０°のところに配置することができる。その場合、側面反射装置９および第二の側面反射装置とそれぞれ向かい合わせに、スレーブモジュール３を配置可能である。
【図面の簡単な説明】
【００３８】
【図１】本発明による装置の概略図である。
【図２】本発明による装置の電子モジュールの詳細図である。
【図３】本発明による装置の光ロッドと側面結合エリアを示す図である。
【図４】本発明による装置の側面反射装置の一例を示す図である。
【図５】本発明による装置の側面反射装置の一例を示す図である。
【図６】本発明による装置の側面反射装置の一例を示す図である。
【図７】本発明による装置の側面反射装置の一例を示す図である。
【図８】本発明による装置の側面反射装置の一例を示す図である。
【図９】本発明による装置の側面反射装置の一例を示す図である。
【図１０】本発明による装置の側面反射装置の一例を示す図である。
【図１１】本発明による装置の側面反射装置の一例を示す図である。
【図１２】本発明による装置の側面反射装置の一例を示す図である。
【図１３】本発明による装置の光ロッドの横断面の一例を示す図である。
【図１４】本発明による装置の光ロッドの横断面の一例を示す図である。
【図１５】本発明による装置の光ロッドの横断面の一例を示す図である。
【図１６】本発明による装置の光ロッドの横断面の一例を示す図である。
【図１７】本発明による装置のマスタモジュールと光ロッドとの結合を示す特定の実施形態の詳細図である。
【図１８】電気パネルにおける本発明の装置の配置を示す図である。
【図１９】図１８による装置の変形例を示す図である。
【図２０】本発明による装置の特定の実施形態を示す図である。
【符号の説明】
【００３９】
１  ロッド
２  マスタモジュール
３  スレーブモジュール
４  電気−光送信機
５  光−電気受信器
６  電子処理装置
７  バス
【図１】
2004533645.tif 000003
【国際公開パンフレット】
2004533645.tif 000004
2004533645.tif 000005
2004533645.tif 000006
2004533645.tif 000007
2004533645.tif 000008
2004533645.tif 000009
2004533645.tif 000010
2004533645.tif 000011
2004533645.tif 000012
2004533645.tif 000013
2004533645.tif 000014
2004533645.tif 000015
2004533645.tif 000016
2004533645.tif 000017
2004533645.tif 000018
2004533645.tif 000019
2004533645.tif 000020
2004533645.tif 000021
2004533645.tif 000022
2004533645.tif 000023
2004533645.tif 000024
2004533645.tif 000025
【国際調査報告】
2004533645.tif 000026
2004533645.tif 000027
2004533645.tif 000028
2004533645.tif 000029
2004533645.tif 000030
2004533645.tif 000031